【事件の表示】
　特願２００３−１１９８５号「異方導電性コネクター装置および回路装置の検査装置」拒絶査定不服審判事件〔平成１６年８月１２日出願公開、特開２００４−２２７８２８号〕について、次のとおり審決する。
【結　論】
　本件審判の請求は、成り立たない。
【理　由】
 １．手続の経緯  
　本件に係る出願（以下「本願」という。）は、平成１５年１月２１日の特許出願であって、平成１８年９月１９日付けで拒絶査定がなされ（発送日：同年９月２６日）、これに対し、同年１０月２６日に拒絶査定不服審判が請求され、平成１８年１１月２１日付けで手続補正書が提出されたものである。  
  
２．平成１８年１１月２１日付け手続補正についての補正却下の決定  
［補正却下の決定の結論］  
　平成１８年１１月２１日付け手続補正を却下する。　  
 　  
［理由］  
(1)補正後の本願発明  
　平成１８年１１月２１日付け手続補正（以下「本件補正」という。）により、特許請求の範囲の請求項１は、　  
「検査対象である回路装置と、検査用回路基板との間に介在されて当該回路装置の被検査電極と当該検査用回路基板の検査用電極との電気的接続を行なうための異方導電性コネクター装置であって、
　絶縁性シートおよび当該絶縁性シートをその厚み方向に貫通して伸びる複数の電極構造体よりなるシート状コネクターと、このシート状コネクターの表面に設けられた第１の異方導電性シートと、前記シート状コネクターの裏面に設けられた第２の異方導電性シートとを具えてなり、
　前記シート状コネクターにおける電極構造体は、当該絶縁性シートの表面に露出する表面電極部および当該絶縁性シートの裏面に露出する裏面電極部が、当該絶縁性シートをその厚み方向に貫通して伸びる短絡部によって互いに連結されてなり、
　前記第１の異方導電性シートは、前記シート状コネクターにおける電極構造体に対応するパターンに従って配置された、それぞれ厚み方向に伸びる複数の導電路形成部と、これらの導電路形成部を相互に絶縁する絶縁部とよりなり、当該導電路形成部の各々が、対応する電極構造体の表面電極部上に位置するよう配置されており、
　前記第２の異方導電性シートは、前記シート状コネクターにおける電極構造体に対応するパターンに従って配置された、それぞれ厚み方向に伸びる複数の導電路形成部と、これらの導電路形成部を相互に絶縁する絶縁部とよりなり、当該導電路形成部の各々が、対応する電極構造体の裏面電極部上に位置するよう配置されており、
　前記第１の異方導電性シートにおける導電路形成部の径に対する前記第２の異方導電性シートにおける導電路形成部の径の比が０．３〜０．９であり、
　前記第１の異方導電性シートが、検査対象である回路装置に接触されることを特徴とする異方導電性コネクター装置。」と補正された（以下「本件補正発明」という。）。  
  
　上記補正は、異方導電性コネクター装置について「検査対象である回路装置と、検査用回路基板との間に介在されて当該回路装置の被検査電極と当該検査用回路基板の検査用電極との電気的接続を行なうための異方導電性コネクター装置であって」と限定するとともに、同じく「第１の異方導電性シートが、検査対象である回路装置に接触されること」を限定するものであり、特許請求の範囲を減縮するものであるから、平成１８年法律第５５号改正附則第３条第１項によりなお従前の例によるとされる同法による改正前の特許法第１７条の２第４項第２号に掲げる特許請求の範囲の減縮を目的とするものに該当する。 
　そこで、本件補正発明が特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項に適合するか）否かについて、以下検討する。  
 　 
(2)刊行物  
(2-1)原査定の拒絶の理由に引用された、本願の出願前に頒布された刊行物である特開２００１−３５１７０２号公報（以下「刊行物１」という。）には、図面と共に次の事項が記載されている。 
 　 
ア．「一方、図２１に示すように、絶縁性シート基体９３と、各々この絶縁性シート基体９３の厚み方向に貫通して伸びるよう固定的に形成された複数の金属部９４とからなるコアシート９１の両面に、厚み方向に導電性を示す異方導電性エラストマー層９２、９２が一体的に設けられてなる異方導電性シート９０が知られている（特開平１１−２７３７７２号公報参照）。
　しかしながら、このような異方導電性シート９０においては、コアシート９１における金属部９４によって、異方導電性エラストマー層９２、９２の各々の変形量が個々に制限されるので、その一面に対する高さレベルの不均一性に対して、他面側の異方導電性エラストマー層は有効な凹凸吸収性を発揮するものではなく、結局、大きな凹凸吸収性を得ながら回路装置のすべての被検査電極について一斉に十分な電気的接続状態を得ることが困難である。
　【発明が解決しようとする課題】本発明は、以上のような事情に基づいてなされたものであって、その目的は、異方導電性エラストマーシートを有してなり、作用される押圧力が小さい場合にも、電気的に接続されるべき接続対象体について十分に信頼性の高い電気的接続を確実に達成することができるシート状コネクターを提供することにある。本発明の他の目的は、上記のようなシート状コネクターを有利に製造することができる方法を提供することにある。本発明の更に他の目的は、
検査対象である回路装置の電気的動作検査を高い信頼性をもって実施することができる電気的検査装置を提供する
　
イ．「以下、本発明のシート状コネクターの実施の形態について、回路装置の電気的検査を行う場合について具体的に説明する。
〈第１の実施の形態〉図１は、本発明の第１の実施の形態に係るシート状コネクターの構成を示す説明用断面図である。このシート状コネクター１０は、複合導電性シート１１と、この複合導電性シート１１の上面に設けられた、
厚み方向に導電性を示す
異方導電性エラストマーシート１２により構成されている。
複合導電性シート１１は、検査対象となる回路装置の被検査電極に対応した位置において、各々厚み方向に伸び、
複数の貫通孔１３が形成された絶縁性シート１４と、
各々導電路を形成する
複数の、例えば金属体よりなる可動導体１５とにより構成されている。
　
ウ．「上記の
シート状コネクター１０は、
回路装置の被検査電極と、これに対応する検査治具の接続電極との電気的な接続に供される。
　先ず、検査治具５の上面にシート状コネクター１０を、その複合導電性シート１１が上方に位置されると共に、その可動導体１５が対応する当該検査治具５の検査用接続電極６上に位置されるよう配置して固定する。一方、シート状コネクター１０の上面上には、検査治具５と電気的に接続すべき回路装置１を、その被検査電極２が可動導体１５上に位置するよう配置する。そして、その状態で適宜の加圧機構により回路装置１を検査治具５に対して下方に押圧する。これにより、
回路装置１の被検査電極２と、これに対応する検査用接続電極６とは、
電気的に接続された状態となり、
　而して、上記の
シート状コネクター１０によれば、回路装置１および検査治具５によって狭圧される
　
エ．「（２）
複合導電性シートの両面に異方導電性エラストマーシートが設けられてなる
　
オ．「（３）本発明のシート状コネクターを構成する
異方導電性エラストマーシートは、
導電性粒子が
その厚み方向に配向した状態で密に充填された導電路形成部６２と、これらの導電路形成部６２を相互に絶縁する、
絶縁部６３とからなる異方導電性エラストマーシート６０であってもよい。
　
カ．「本発明のシート状コネクターによれば、押圧されて使用されることにより、複合導電性シートにおける可動導体の各々が、接続対象体の表面の個々の個所における高さ位置に応じた変位量で各々独立して絶縁性シートの厚み方向に移動することができるので、両面に配置される接続対象体の表面における高さレベルの不均一性に対して大きな凹凸吸収性が得られると共に、全体において高い感度状態が得られる。従って、接続対象体の表面における高さレベルに相当に大きな不均一性があっても、低い押圧力で接続対象体の表面におけるすべての個所について信頼性の高い電気的接続を確実に達成することができる。
　特に、複合導電性シートの両面に異方導電性エラストマーシートが設けられてなるシート状コネクターによれば、押圧されたときに、上面側異方導電性エラストマーシートおよび下面側異方導電性エラストマーシートが共に圧縮変形されるため、その結果として接続対象体の表面における高さレベルの不均一性に対して一層大きな凹凸吸収性が得られると共に、上面側異方導電性エラストマーシートおよび下面側異方導電性エラストマーシートは、別個の異方導電性エラストマーシートであるので、全体において十分に高い感度状態が確実に得られる。」（段落【0073】、【0074】）
　
キ．上記ウ、オ、及び【図18】の記載を総合すると、一方の異方導電性エラストマーシート６０の導電路形成部６２の各々が、対応する可動導体１５の表面上に位置するように配置され、他方の異方導電性エラストマーシート６０の導電路形成部６２の各々が、対応する可動導体１５の裏面上に位置するように配置されること、一方の異方導電性エラストマーシート６０が検査用接続電極６を介して検査対象である検査治具５に電気的に接続されること、異方導電性エラストマーシート６０、６０は、絶縁性シート１４における可動導体１５に対応するパターンに従って導電路形成部６２が配置されることが示されている。
　
　上記記載事項及び図面の記載内容からみて、刊行物１には、次の発明が記載されている。
　
「回路装置１および検査治具５によって挟圧され回路装置１の被検査電極２と、これに対応する検査治具５の検査用接続電極６とを電気的に接続するシート状コネクター１０であって、
　絶縁性シート１４と、この絶縁性シート１４の厚み方向に伸びる複数の貫通孔１３内に配置された各々導電路を形成する複数の可動導体１５とよりなる複合導電性シート１１と、この複合導電性シート１１の両面に設けられた、厚み方向に導電性を示す異方導電性エラストマーシート６０、６０とよりなり、
　異方導電性エラストマーシート６０の一方は、導電性粒子が厚み方向に配向した状態で密に充填された複数の導電路形成部６２と、これらの導電路形成部６２を相互に絶縁する絶縁部６３とからなり、当該導電路形成部６２の各々が、対応する対応する可動導体１５の表面上に位置するように配置され、
　異方導電性エラストマーシート６０の他方は、導電性粒子が厚み方向に配向した状態で密に充填された複数の導電路形成部６２と、これらの導電路形成部６２を相互に絶縁する絶縁部６３とからなり、当該導電路形成部６２の各々が、対応する可動導体１５の裏面上に位置するように配置され、
　異方導電性エラストマーシート６０の一方が、検査用接続電極６を介して検査対象である検査治具５に電気的に接続される
シート状コネクタ１０。」
　
(2-2)同じく特開２０００−１５６１１９号公報（以下「刊行物２」という。）には、図面と共に次の事項が記載されている。
　
ア．「本発明は、例えば
電子部品などの回路素子相互間の電気的接続やプリント基板の検査装置におけるコネクター
用いられる異方導電性積層体に関する。
　
イ．「図１は、本発明の異方導電性積層体の一例における要部の構成を示す説明用断面図である。
この異方導電性積層体１０は、
絶縁層２０と、厚み方向に磁性体材料が配向してなる導電路を有する絶縁体層４０とを有する積層体からなっている。
絶縁層には、特定のパターンに従って厚み方向に貫通して伸びる多数の短絡路２１が形成されている。
短絡路２１の各々は、必要に応じて絶縁層２０の表面に露出する表面電極部分２２と、絶縁層２０の裏面に露出する裏面電極部分２３とを有していてもよい。これら表面電極部分２２および裏面電極部分２３は、
短絡部分２１によって一体に連結されている。
　
ウ．「（ｂ）多孔質の絶縁性シートを用意し、該絶縁性シートにおける導電路を形成すべき部分（以下、「導電路形成部分」という）に、無電解ニッケルメッキ処理のためのパラジウム等によるアクセレーター処理を行う。次いで、図５に示すように、絶縁性シート２０の表面および裏面の各々に、フォトリソグラフィーの手法により、短絡部形成部分１１の位置に例えば円形のパターン孔１４，１５を有するレジスト層１２，１３を形成する。そして、レジスト層１２，１３のパターン孔１４，１５によって露出された絶縁性シート２０の短絡部形成部分１１に対して、メッキ処理を施すことにより、図６に示すように、レジスト層１２のパターン孔１４内にニッケルが堆積されて、例えば円板状の表面電極基層２２が形成されると共に、レジスト層１３のパターン孔１５内にニッケルが堆積されて円板状の裏面電極部分２３が形成され、一方、絶縁性シート２０の短絡部形成部分２１には、その多孔質材料の多数の孔内にニッケルが充填されて、
表面電極基層２２および裏面電極部分２３の各々に一体に連結された短絡路が形成される。」
　
　上記記載事項及び図面の記載内容からみて、刊行物２には、次の発明が記載されている。  
　
「絶縁層２０における短絡路２１は、絶縁層２０の表面に露出する表面電極部分２２および裏面に露出する裏面電極部分２３が、絶縁層２０を厚み方向に貫通して伸びる短絡部分によって一体に連結されている異方導電性積層体１０。」
　
(2-3)同じく特開平１１−２０４１７６号公報（以下「刊行物３」という。）には、図面と共に次の事項が記載されている。
　
ア．「【発明の実施形態】本発明の導電性ゴムシートは、電気絶縁材料内に導電部を複数個有する導電性ゴムシートであって、その少なくとも１つの導電部において、
異方導電性ゴムシートの一方の表面の導電部の面積と、他方の表面の導電部の面積との比が、
好ましくは１．１５〜１０
　本発明の
導電性ゴムシートは、被検査物の電気的導通性や電気特性の検査時に、導電性ゴムシートを検査基板上に配置し、かつ検査物の電極に対面させた位置に置き、検査基板と検査物との間で挟み、必要に応じて圧縮した状態を保持しながら検査物の電極と検査基板の電極とを、導電性ゴムシートの導電部を介して電気的に確実に接続する事ができる。被検査物としては各種の回路基板、例えば、表面実装LSI、
　
イ．【図9】には、面積が大きい導電性ゴムシート１の表面が表面実装ＬＳＩに電気的に接続されることが記載されている。
　
　上記記載事項及び図面の記載内容からみて、刊行物２には、次の発明が記載されている。  
　
「異方導電性ゴムシートの一方の表面の導電部の面積と、異方導電性ゴムシートの他方の表面の導電部の面積との比が、特に好ましくは１．１５〜１０であり、面積の大きい方の異方導電性ゴムシートの表面の導電部が、被検査物である表面実装ＬＳＩに電気的に接続される異方導電性ゴムシート。」
　
(3)対比
　本件補正発明と刊行物１に記載された発明とを対比する。  
　刊行物１に記載された発明の「回路装置１」は、その構成及び機能からみて、本件補正発明の「検査対象である回路装置」及び「回路装置」に相当し、以下同様に、
　「検査治具５」は「検査用回路基板」に、
　「挟圧」は「介在」に、
　「被検査電極２」は「被検査電極」に、
　「検査用接続電極６」は「検査用電極」に、
　「電気的に接続（する）」は「電気的接続（を行なう）」及び「接触（する）」に、
　「絶縁性シート１４」は「絶縁性シート」に、
　「導電路を形成する可動導体１５」は「電極構造体」に、
　「複合導電性シート１１」は「シート状コネクター」に、
　「異方導電性エラストマーシート６０、６０」は「第１の異方導電性シート」及び「第２の異方導電性シート」に、
　「異方導電性エラストマーシート６０の一方」は「第１の異方導電性シート」に、
　「導電路形成部６２」は「導電路形成部」に、
　「導電路形成部６２を相互に絶縁する絶縁部６３」は「絶縁部」に、
　「異方導電性エラストマーシート６０の他方」は「第２の異方導電性シート」に、
それぞれ相当する。 
　
　そして、刊行物１に記載された発明の「シート状コネクター１０」は、異方導電性エラストマーシート６０、６０により構成されるものであるから、本件補正発明の「異方導電性コネクター装置」に相当する。
　また、刊行物１に記載された発明の「導電路を形成する複数の可動導体１５」と本件補正発明の「電極構造体」とは、「電極」として機能する点で共通するものである。
　さらに、刊行物１に記載された発明の「可動導体１５の表面」及び本件補正発明の「電極構造体の表面電極部」とは、「電極の表面」である点で共通するものであり、同様に、刊行部１に記載された発明の「可動導体１５の裏面」及び本件補正発明の「電極構造体の裏面電極部」とは、「電極の裏面」である点で共通するものである。
　
　したがって、上記両者の一致点及び相違点は、次のとおりである。　　　　 
［一致点］  
「検査対象である回路装置と、検査用回路基板との間に介在されて当該回路装置の被検査電極と当該検査用回路基板の検査用電極との電気的接続を行なうための異方導電性コネクター装置であって、
　絶縁性シートおよび当該絶縁性シートをその厚み方向に貫通して伸びる複数の電極よりなるシート状コネクターと、このシート状コネクターの表面に設けられた第１の異方導電性シートと、シート状コネクターの裏面に設けられた第２の異方導電性シートとを具えてなり、
　第１の異方導電性シートは、シート状コネクターにおける電極に対応するパターンに従って配置された、それぞれ厚み方向に伸びる複数の導電路形成部と、これらの導電路形成部を相互に絶縁する絶縁部とよりなり、当該導電路形成部の各々が、対応する電極の表面上に位置するよう配置されており、
　第２の異方導電性シートは、シート状コネクターにおける電極に対応するパターンに従って配置された、それぞれ厚み方向に伸びる複数の導電路形成部と、これらの導電路形成部を相互に絶縁する絶縁部とよりなり、当該導電路形成部の各々が、対応する電極の裏面上に位置するよう配置されており、
　第１の異方導電性シートが、検査対象である回路装置に接触される
異方導電性コネクター装置。」
 　 
［相違点１］ 
　シート状コネクターの電極構造について、
　本件補正発明では、絶縁性シートの表面に露出する表面電極部および絶縁性シートの裏面に露出する裏面電極部が、絶縁性シートをその厚み方向に貫通して伸びる短絡部によって互いに連結されているのに対して、
　刊行物１に記載された発明では、表面及び裏面を有する可動体１５である点。
　
［相違点２］
　本件補正発明では、検査対象である回路装置に接触される第１の異方導電性シートにおける導電路形成部の径に対する第２の異方導電性シートにおける導電路形成部の径の比が０．３〜０．９であるのに対して、
　刊行物１に記載された発明では、この発明特定事項を備えるか否か不明である点。
　
(4)当審の判断  
　以下、上記相違点について検討する。 
　まず、上記相違点１について検討する。
　本件補正発明と刊行物２に記載された発明とを対比する。  
　刊行物２に記載された発明の「絶縁層２０」は、その構成及び機能からみて、本件補正発明の「シート状コネクター」に相当し、以下同様に、
　「短絡路２１」は「電極構造体」に、
　「表面電極部分２２」は「表面電極部」に、
　「裏面電極部分２３」は「裏面電極部」に、
　「短絡部分」は「短絡部」に、
　「異方導電性積層体１０」は「異方導電性コネクター装置」に、
それぞれ、相当する。
　
　したがって、刊行物２に記載された発明は、
「シート状コネクターにおける電極構造体は、当該絶縁性シートの表面に露出する表面電極部および当該絶縁性シートの裏面に露出する裏面電極部が、当該絶縁性シートをその厚み方向に貫通して伸びる短絡部によって互いに連結されている異方導電性コネクター装置。」
と言い換えることができる。
　
　そして、刊行物１および刊行物２に記載された発明は、共に、被検査物の電気的動作検査装置に用いる異方導電性コネクター装置という同一の技術分野に属する発明であり、しかも、シート状コネクターに、異方導電性シートを積層することにより構成されるものであるから、刊行物１に記載された発明の可動導体１５に、刊行物２に記載された発明を適用することは、当業者が容易になし得たものである。
　
　次に、上記相違点２について検討する。
　本件補正発明と刊行物３に記載された発明とを対比する。  
　刊行物３に記載された発明の「異方導電性ゴムシートの一方」は、その構成及び機能からみて、本件補正発明の「第１の異方導電性ゴムシート」に相当し、以下同様に、
　「表面の導電部」は「導電路形成部」に、
　「異方導電性ゴムシートの他方」は「第２の異方導電性ゴムシート」に、
　「被検査物である表面実装ＬＳＩ」は「検査対象である回路装置」に、
　「異方導電性ゴムシート」は「異方導電性コネクター装置」に、
それぞれ相当する。
　
　そして、刊行物３に記載された発明の「異方導電性ゴムシートの一方の表面の導電部（「Ａ」）の面積と、異方導電性ゴムシートの他方の表面の導電部（「Ｂ」）の面積との比が、特に好ましくは１．１５〜１０（Ｂ／Ａ）であり」なる発明特定事項は、面積を径に換算すると、「Ａの径に対するＢの径の比は、約０．３２〜約０．９３であり」と同義である。
　さらに、刊行物３に記載された発明の「電気的に接続される」は、本件補正発明の「接触される」と同義である。
　また、刊行物３に記載された発明の「面積の大きい方の異方導電性ゴムシートの表面の導電部が、被検査物である表面実装ＬＳＩに電気的に接続される」は、「径の大きい第１の異方導電性ゴムシート導電路形成部が検査対象である回路装置に接触される。」と言い換えることができる。
　
　したがって、刊行物３に記載された発明は、
「第１の異方導電性ゴムシートの導電路形成部の径に対する第２の異方導電性ゴムシートの導電路形成部の径の比が約０．３２〜約０．９３であり、径の大きい第１の異方導電性ゴムシート導電路形成部が検査対象である回路装置に接触される異方導電性コネクター装置。」
と言い換えることができる。
　
　そして、刊行物１および刊行物３に記載された発明は、共に、被検査物の電気的動作被検査物の電気的動作検査装置に用いられる異方導電性コネクター装置という同一の技術分野に属する発明である。さらに、被検査物の電極パターンおよび、検査装置の電極パターンに応じて両者を電気的に接続する、異方導電性シートを積層することにより構成した異方導電性コネクター装置の各異方導電性シートの径を、各電極パターン、導電性を考慮して決定することは当業者が適宜なし得たものである。
　したがって、刊行物１に記載された発明に、刊行物３に記載された発明を適用して、上記相違点２に係る本件補正発明の発明特定事項とすることは、当業者が容易になし得たものである。
　なお、本件補正発明は、「第１の異方導電性シートにおける導電路形成部の径に対する第２の異方導電性シートにおける導電路形成部の径の比」を「０．３〜０．９」とその数値範囲を特定するものであるが、このことにより本件補正発明が当該数値範囲内において格別の優れた効果を奏するものではないため、本件補正発明が当該数値範囲を特定したことに臨界的意義は見出せない。
　
　また、本件補正発明の奏する効果についてみても、刊行物１乃至３に記載された発明により奏される効果の範囲内のものである。
　したがって、本件補正発明は、刊行物１乃至３に記載された発明に基いて当業者が容易に想到し得たものである。 
 　 
　よって、本件補正発明は、刊行物１乃至３に記載された発明に基いて当業者が容易に発明をすることができたものであるから、特許法第２９条第２項の規定により、特許出願の際独立して特許を受けることができないものである。　  
　
(5)むすび  
　以上のとおりであるから、本件補正は、平成１８年法律第５５号改正附則第３条第１項によりなお従前の例によるとされる同法による改正前の特許法第１７条の２第５項で準用する特許法第１２６条第５項の規定に違反するものであり、平成１８年改正前特許法第１５９条第１項で読み替えて準用する同法第５３条の規定により却下すべきものである。  
 　  
３．本願発明について  
(1)本願発明  
　平成１８年１１月２１日付け手続補正は上記のとおり却下されたので、本願の請求項１に係る発明（以下、「本願発明」という。）は、平成１８年６月２０日付けで手続補正書の特許請求の範囲の請求項１に記載された次のとおりのものである。  
 　  
「絶縁性シートおよび当該絶縁性シートをその厚み方向に貫通して伸び
る複数の電極構造体よりなるシート状コネクターと、このシート状コネクターの表面に設けられた第１の異方導電性シートと、前記シート状コネクターの裏面に設けられた第２の異方導電性シートとを具えてなり、
　前記シート状コネクターにおける電極構造体は、当該絶縁性シートの表面に露出する表面電極部および当該絶縁性シートの裏面に露出する裏面電極部が、当該絶縁性シートをその厚み方向に貫通して伸びる短絡部によって互いに連結されてなり、
　前記第１の異方導電性シートは、前記シート状コネクターにおける電極構造体に対応するパターンに従って配置された、それぞれ厚み方向に伸びる複数の導電路形成部と、これらの導電路形成部を相互に絶縁する絶縁部とよりなり、当該導電路形成部の各々が、対応する電極構造体の表面電極部上に位置するよう配置されており、
　前記第２の異方導電性シートは、前記シート状コネクターにおける電極構造体に対応するパターンに従って配置された、それぞれ厚み方向に伸びる複数の導電路形成部と、これらの導電路形成部を相互に絶縁する絶縁部とよりなり、当該導電路形成部の各々が、対応する電極構造体の裏面電極部上に位置するよう配置されており、
　前記第１の異方導電性シートにおける導電路形成部の径に対する前記第２の異方導電性シートにおける導電路形成部の径の比が０．３〜０．９であることを特徴とする異方導電性コネクター装置。」
　
(2)刊行物 
　原査定の拒絶の理由に引用した刊行物、刊行物の記載事項、及び、刊行物に記載された発明は、前記「２．［理由］(2)刊行物」に記載したとおりである。 
 　 
(3)対比・判断 
　本願発明と刊行物に記載された発明とを対比する。 
 　 
　本願発明は、前記「２．［理由］」で検討した本件補正発明において、
異方導電性コネクター装置について、「検査対象である回路装置と、検査用回路基板との間に介在されて当該回路装置の被検査電極と当該検査用回路基板の検査用電極との電気的接続を行なうための異方導電性コネクター装置であって」、及び、「第１の異方導電性シートが、検査対象である回路装置に接触されること」とあったところ、その限定を省くものである。 
　
　そうすると、本願発明の構成要件の全てを含み、更に他の要件を付加したものに相当する本件補正発明が前記「２．［理由］(4)当審の判断」に示したとおり、刊行物１乃至３に記載された発明に基いて、当業者が容易に発明をすることができたものであるから、本願発明も、同様の理由により、刊行物１乃至３に記載された発明に基いて当業者が容易に発明をすることができたものである。 
 　 
(4)むすび 
　以上のとおりであるから、本願の請求項１に係る発明は、刊行物１乃至３に記載された発明に基いて当業者が容易に発明をすることができたものであり、特許法第２９条第２項の規定により特許を受けることができない。 
　
　したがって、本願のその他の請求項に係る発明について検討するまでもなく、本願は拒絶すべきものである。 
　
　よって、結論のとおり審決する。